(57)【要約】【課題】構造を簡略化して小型化を図り、重量を軽減するとともに漏洩電波シールド機能並びに設置作業の作業性を向上させた漏洩電波シールド構造を提供することである。【解決手段】電源ケーブル３を複数のプラスチック等の非金属材料製の短管（Ｐ）２と銅等の導電性の高い金属製の短管（Ｃｕ）１とを交互に密着させて電源ケーブル３に被せ、金属（銅）製の短管１にはさまれた非金属材料（樹脂）製の短管２の外側等に導体（例えば、銅線）４を配設して通電路を形成し、通電路の一端側を接地（アース）５させている。【選択図】図１
2006148034.tif 000002
【特許請求の範囲】
【請求項１】
電気器具を電源に接続する漏洩電波シールド構造であって、複数のプラスチック等の非金属材料製の短管と銅等の金属製の短管とを交互に電源ケーブルに被せ、金属材料製の短管にはさまれた非金属材料製の短管を導線等の導体でバイパスさせて通電路を形成し、該通電路の一端側を接地（アース）させることにより、電源ケーブルからの漏洩電波をシールドすることを特徴とする漏洩電波シールド構造。
【請求項２】
非金属材料製の短管をバイパスする導体として導電性の繊維を用いたことを特徴とする請求項１記載の漏洩電波シールド構造。
【発明の詳細な説明】
【技術分野】
【０００１】  本発明は、電源ケーブルなどにおける漏洩電波を遮断する機能を備えた漏洩電波シールド構造に関する。
【背景技術】
【０００２】  僅来、各種電気器具において、電気器具が発生する微弱な電波が器具のケーシング外に漏洩して周囲に悪影響を与える恐れがあるという問題があり、電気器具自体の電波漏洩に対しては、ケーシングの構造などの改良によりシールド効果を有するものが提案されているが、電気器具が接続される電源ケーブル等の電気配線では、電波漏洩に対する防護或いは電波シールド（遮蔽）の手段が講じられていないという問題があった。【０００３】  例えば、パソコン（子機）の試験等の際に、パソコン（親機）に多数台のパソコン（子機）が接続された場合、主電源の配線（電源）ケーブルには数百アンペアの電源が接続されており、パソコン運転時に大電流（例えば、数百アンペア）が流れる電源ケーブルの周囲に電場が発生するとともに電波が発生して漏洩し、パソコン（子機）に悪影響を与え、試験結果に誤差を生じる恐れがあるという問題があった。
【発明の開示】
【発明が解決しようとする課題】
【０００４】電気器具が接続される電源ケーブル等の電気配線では、通電中に周波数が一定しない電波が発生し、漏洩電波として放散され、周囲に悪影響を与える恐れがあるという問題があった。
この問題を解決するために、電源ケーブルを鉄板等から成るシールド用の箱等で覆うものが提案されているが、従来の鉄板等から成るシールド用の箱は壁厚が大であるために、重量が大きく、敷設工事が大掛かりになって、コストが高く費用が嵩む上に作業性も低いという問題があった。
また、電源ケーブルを長い電波シールド管に通すものも提案されているが、電源ケーブルを長い電波シールド管に通すという作業に手間がかかり、コストも上昇し、作業性も低いという問題があった。本発明の目的は、構造を簡略化して小型化を図り、重量を軽減するとともに漏洩電波シールド機能並びに設置作業の作業性を向上させた漏洩電波シールド構造を提供することである。
【特許文献１】特開平５−１２１１６６号公報
【特許文献２】特開平１０−５４７０２号公報
【課題を解決するための手段】  本発明は、複数のプラスチック等の非金属材料製の短管と銅等の金属製の短管とを交互に電源ケーブルに被せ、金属材料製の短管にはさまれた非金属材料製の短管の外側に導線等の導体を併設して通電路を形成し、通電路の一端側を接地（アース）させることにより、電源ケーブルからの漏洩電波をシールドするものである。【０００５】  本発明は、複数のプラスチック等の非金属材料製の短管と銅等の金属製の短管とを交互に電源ケーブルに被せ、金属材料製の短管にはさまれた非金属材料製の短管を導線等でバイパスさせて通電路を形成し、形成された通電路の一端側を接地（アース）させて、プラスチック等の非金属材料製の短管と銅等の金属製側を接地（アース）させて成るものである。
特に、非金属材料製の短管をバイパスする導体として導電性の繊維を用いると一層高いシールド効果が期待できるものである。
【発明の効果】
【０００６】  本発明の漏洩電波シールド構造は、上記の如く構成されており、作業は短管に電源ケーブルを通すだけであるから、部材が小さく且つ軽くなるから設置作業が極めて容易になり、作業性が著しく向上するものである。また、本発明は、複数のプラスチック等の非金属材料製の短管と銅等の金属製の短管とを交互に電源ケーブルに被せた、即ち複数のプラスチック等の非金属材料製の短管と銅等の金属製の短管とに交互に電源ケーブルを通したものであり、非金属材料製の短管の外側に金属導線等の導体を配設して通電路を形成し、通電路の一端側を接地（アース）させることにより、電源ケーブルからの漏洩電波をシールドするものであるから、金属の網を配置したものと同じような高いシールド効果を奏する。
【実施例】
【０００７】  本発明の実施例を、図を参照して説明する。
図１において、本発明の実施例である漏洩電波シールド構造を説明すると、電源ケーブル３を複数のプラスチック等の非金属材料製の短管（Ｐ）２と銅等の導電性の高い金属製の短管（Ｃｕ）１とを交互に密着させて電源ケーブル３に被せ、金属（銅）製の短管１にはさまれた非金属材料（樹脂）製の短管２の外側等に導体（例えば、銅線）４を配設して通電路を形成し、通電路の一端側を接地（アース）５させている。
金属製短管（Ｃｕ）１と樹脂製短管（Ｐ）２とを交互に配置して電源ケーブル３に被せているから、短管に電源ケーブル３を通す作業が容易であり、長い電波シールド管に電源ケーブルを通す作業に比べて、作業が容易になり、作業性が向上するものである。【０００８】  さらに、金属製短管（Ｃｕ）１に挟まれた樹脂製短管（Ｐ）２の外側等に導体（例えば、銅線、銅板等）４を配設して通電路を形成し、通電路の一端側を接地（アース）５させていることで、電源ケーブルを通した管全体の導電性を確保し、管全体をアースすることになり、電波のシールド能力を高く保持することができる。
図２及び図３に示すように、樹脂製短管（Ｐ）２の外側に導体４（本実施例では銅板）が軸方向に沿って貼着されており、樹脂製短管（Ｐ）２の端部において導体４が折曲されて、樹脂製短管（Ｐ）２が金属製短管（Ｃｕ）１に密接して配置されているから、両者は電気的に接続されており、この状態で、金属製短管（Ｃｕ）１または導体４をアース５させることにより、金属製短管（Ｃｕ）１及び導体４（即ち樹脂製短管（Ｐ）２）をアースさせることができ、高い電波シールド機能を維持することができる。
なお、導体４として導電性の繊維を用いた布帛を採用すると、金属の網を用いたものと同じような高いシールド効果を奏するもので一層高いシールド効果が期待できるものである。。
【産業上の利用可能性】
【０００９】
【００１０】本発明の漏洩電波シールド構造は、大電流が流れる恐れのあるケーブルの漏洩電波シールドを行う用途に適している。
【図面の簡単な説明】
【００１１】
【図１】本発明の実施例である漏洩電波シールド構造の平面図である。
【図２】図１における本発明の漏洩電波シールド構造のＩＩ−ＩＩ線断面図である。
【図３】図１における本発明の漏洩電波シールド構造のＩＩＩ−ＩＩＩ線断面図平面図である。
【符号の説明】
【００１２】  １  銅等の金属製短管（Ｃｕ）
２  合成樹脂等の樹脂製短管（Ｐ）
３  電源ケーブル
４  導電体（銅線、銅板等）
５  アース線
【図１】
2006148034.tif 000003
【図２】
2006148034.tif 000004
【図３】
2006148034.tif 000005